(57)【要約】【課題】  充電部カバーに作業時の簡易なメモ書きができるようにすることで，コストがかからずに配線の確認や施工作業の確認を行え，効率よく分電盤の施工・配線作業が行うことができる分電盤を提供すること。【解決手段】主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーには情報記入部と，カバーには回路名称記入部を設け，充電部カバーに簡易なメモ書きができるようにした。  【選択図】      図１
2005027470.tif 000002
【特許請求の範囲】
【請求項１】
主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーには情報記入部と，カバーには回路名称記入部を設けたことを特徴とする分電盤。
【請求項２】
前記充電部カバーは樹脂成型品であって鉛筆等で筆記できるよう梨地状の表面処理を施して情報記入部としたことを特徴とする請求項１記載の分電盤。
【請求項３】
前記充電部カバーは黒色以外の色で成形してあることを特徴とする請求項２記載の分電盤。
【請求項４】
前記充電部カバーには，鉛筆等で筆記可能なシートをラミネート加工して情報記入部としたことを特徴とする請求項１の分電盤。
【請求項５】
前記シートは，紙または梨地状の表面処理された合成樹脂成形シートであることを特徴とする請求項４の分電盤。
【発明の詳細な説明】
【技術分野】
【０００１】
本件の発明は，分電盤に用いられる充電部カバーに関するものである。
【背景技術】
【０００２】
従来，分電盤施工時や、分岐ブレーカに電線を結線する際に、容易に接続負荷を確認することを目的とした分電盤としては，特許文献１に記載したように，充電部を負荷名称記入板で覆うようにしたものが知られている。
【０００３】
これは，特許文献１の図１（ａ）（ｂ）に示されているように，主幹ブレーカ１０から各分岐ブレーカ１１に伸びた充電部１２のうち、該分岐ブレーカ１１を接続する為に上下に伸びた充電部１２の前面を、前記分岐ブレーカ１１に接続した負荷の名称を記入可能な負荷名称記入板１３で覆うと共に、分電盤内に設置した機器の操作部１５以外を覆う配線オオイ１６（分電盤のカバー）に前記負荷名称記入板１３に合わせた窓１７を設けて、前記配線オオイ１６（分電盤のカバー）を装着した状態で、前記負荷名称記入板１３を露出、又は、透視可能とする分電盤１の負荷名称記入板取付構造であって、前記負荷名称記入板１３の上下両端部を保持する保持部を先端に設けた負荷名称記入板支持手段を分電盤底部から突設し、前記保持部が前記負荷名称記入板を前方に押圧する押し片と、前記負荷名称記入板１３に係止して前記押し片の圧力による飛び出しを阻止する爪片とで形成して成るように構成されている。
【０００４】
【特許文献１】特開２００２−４４８１１号公報  （第１図）
【発明の開示】
【発明が解決しようとする課題】
【０００５】
しかしながら，通常行われているように，配線オオイ１６（分電盤のカバー）に負荷名称記入板を配設する場合と比較して，分電盤の本体２に負荷名称記入板支持手段を突設させる必要があり，取付けに係る構造が複雑になりコストがかかるという問題があった。
また，負荷名称記入板は分電盤取付け後にも閲覧するものであるため，分電盤施工時，分岐ブレーカに電線を結線する際に誤って汚れや傷等をつけてしまった場合には，取り替えという事態になり，作業者にとっては余計な気を使わねばならず，作業効率の低下を招くおそれがあった。
また，分岐回路の負荷側の配線先を簡易にメモ書きしたり，電圧の確認チェックの印をしたり，ネジ締めの確認チェックの印をつけたりといった簡易な印をつけるといったことができず，その場合には，別途メモ紙を貼り付けて作業する必要があるなど不便であったり，また，メモを簡易にとれないために，誤配線や施工ミスのおそれがあるという問題があった。
また，通常の充電部カバーはＡＢＳなどの合成樹脂成型のシート状で表面は滑らかで光沢性をもっており，鉛筆等で筆記しても書けなかったり，書けても判別しづらく筆記には適していないという課題があった。
【０００６】
そこで本件の発明は，充電部カバーに作業時の簡易なメモ書きができるようにすることで，コストがかからずに配線の確認や施工作業の確認を行え，効率よく分電盤の施工・配線作業が行うことができ，また，分電盤のカバーには回路名称が記載できるようにして施工後には使用者が正しい回路名称を確認できる分電盤を提供することを目的としている。
【課題を解決するための手段】
【０００７】
上述の目的を達成するために，本発明の請求項１では，主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーには情報記入部と，カバーには回路名称記入部を設けたことを特徴とする分電盤を構成したものである。
【０００８】
また請求項２では，前記充電部カバーは樹脂成型品であって鉛筆等で筆記できるよう梨地状の表面処理を施して情報記入部としたことを特徴とする請求項１記載の分電盤を構成したものである。
【０００９】
また，請求項３では，前記充電部カバーは黒色以外の色で成形してあることを特徴とする請求項２記載の分電盤を構成したものである。
【００１０】
また，請求項４では，前記充電部カバーには，鉛筆等で筆記可能なシートをラミネート加工して情報記入部としたことを特徴とする請求項１の分電盤を構成したものである。
【００１１】
また，請求項５では，前記シートは，紙または梨地状の表面処理された合成樹脂成形シートであることを特徴とする請求項４の分電盤を構成したものである。
【発明の効果】
【００１２】
上記第一の課題解決手段による効果は，主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーには情報記入部と，カバーには回路名称記入部を設けた分電盤を構成したため，施工時の配線情報や接続確認のチェック情報等の記載を充電部カバーの情報記入部に行えるとともに，施工後は正しい回路名称の記載をカバー表面の回路名称記入部に行え使用者が回路名称を確認できる分電盤を提供することが可能となることである。
【００１３】
また，第二の課題解決手段による効果は，前記充電部カバーは樹脂成型品であって鉛筆等で筆記できるよう梨地状の表面処理を施して情報記入部としたことを特徴とする請求項１記載の分電盤を構成したため，充電部カバーに直接，施工作業時における配線先のチェックや，電圧の確認チェックや，ネジ締め確認のチェック等のメモ書きを行うことでコストがかからずに効率よく分電盤の施工・配線作業が行え，さらに施工ミスを減らすことができる分電盤が提供可能であるということである。
【００１４】
また，第三の課題解決手段による効果は，前記充電部カバーは黒色以外の色で成形してあることを特徴とする請求項２記載の分電盤を構成したため，筆記した内容をより明確に確認することが可能であるということである。
【００１５】
また，第四の課題解決手段による効果は，前記充電部カバーには，鉛筆等で筆記可能なシートをラミネート加工して情報記入部としたことを特徴とする請求項１の分電盤を構成したため，充電部カバーに直接，施工作業時における配線先のチェックや，電圧の確認チェックや，ネジ締め確認のチェック等のメモ書きを行うことでコストがかからずに効率よく分電盤の施工・配線作業が行え，さらに施工ミスを減らすことができる分電盤が提供可能であることである。
【００１６】
また，第五の課題解決手段による効果は，前記シートは，紙または梨地状の表面処理された合成樹脂成形シートであることを特徴とする請求項４の分電盤を構成したため，請求項４の分電盤の効果をより具体的な手段を提供し効果をより確実にすることができることである。
【実施例１】
【００１７】
以下，本発明に係る分電盤について図１から図４を用いて詳細に説明する。
【００１８】
図１は本件発明の分電盤の内部構造を示したものである。１は分電盤，２は主開閉器，３は分岐ブレーカで複数設けられる。主開閉器２と分岐ブレーカ３との間は電気的に，接続バー５と母線６を介して送り母線７にて接続されている。母線６及び送り母線７の充電部は，充電部カバー４で被覆され，誤って触れることによる感電事故を防止している。
【００１９】
接続バー５は主開閉器２と母線６を中継するためのものである。母線６は送り母線７を介して各々の分岐開閉器３に電力を供給する。接続バー５は被覆された電線を用いたり，予め形付けられた銅バーを樹脂製のケースで絶縁したユニットを用いて構成している。
【００２０】
母線６及び送り母線７は充電部であるため，図２に示したように，各極間の絶縁を保つために樹脂材料で形成した絶縁壁８にて絶縁されている。この絶縁壁８には，充電部カバー４を嵌合取付けするための突出部１００を有し，充電部カバー４には，突出部１００に対応する嵌合用の孔２００が設けられている。
【００２１】
充電部カバー４は樹脂材料で形成され，表面は，細かな梨地状の表面加工が施されており，鉛筆等の筆記具による筆記が可能である。また，色は薄いグレーとしている。分電盤施工時においては，分電盤の取付け位置において壁内から延出している分岐用の電線を分岐開閉器に接続するが，分岐電線と負荷回路との関連を明確にしておくために接続先の配線のメモをとっておくことが多い。このメモを充電部カバー４の表面に筆記することで，誤配線防止につながり，さらに効率よく配線作業を行うことができる。
【００２２】
また，施工時における各負荷回路への配線チェックを行う場合や，電圧の印加チェックを行う場合，端子のネジ締め確認を行う場合などにも確認チェックの情報記載のために簡易な印をつけて確認を行うことにより，誤配線や施工ミスを防ぐことができ電気事故の発生を抑制することができる。
【００２３】
また，施工時のみならず，分電盤の点検時等では，分岐開閉器の動作確認を行う場合がある。物件によっては使用されていない分岐開閉器があり，分岐開閉器のなかでＯＮ状態とＯＦＦ状態が混在している場合がある。このような場合にも充電部カバー４に点検前の初期状態ではＯＮ／ＯＦＦどちらであるかをメモしておくことで，点検後正確に初期状態に戻すことができる。
【００２４】
図４には，充電部カバー４にシート１１を貼付したものを示している。シート１１は薄板状で紙や表面に梨地状の加工を施した合成樹脂成形材料（ポリプロピレンや塩化ビニール，ナイロン，ＡＢＳ等弾力性をもったシート状に加工可能な材料）であって，粘着や熱処理で充電部カバー４に貼付けられている。シート１１には予め情報記入部として分岐回路毎に罫線で区切られた枠が印刷されており，配線先の負荷回路名称や，電圧チェックの結果や，ネジ締め確認の結果を簡易にメモすることができるようになっている。また，充電部カバー４に従来の，色が黒く，表面にエンボス加工を施したものを用いた場合でも，その上にシートを貼付けて使用することができるため，充電部カバーの材質に影響することなく利用できるというメリットがある。
【００２５】
また，予め充電部カバーに分岐開閉器毎に電圧チェック，ネジ締めチェック等の情報記入欄（チェック欄等）を印刷して設けておき，施工時の接続確認が行えるようにしておいてもよい。また，筆記具には鉛筆や水性ペン，油性ペン等，配線作業時に通常所持している筆記具を用いてメモすることが可能である。
【００２６】
図３は分電盤のカバー９を取付けた図である。カバーには分電盤施工後の利用時に回路名称を記入及び確認できる回路名称記載部１０が設けられている。この部分に正式な回路名称を記載し，分岐回路に接続されている負荷機器もしくは負荷回路を把握することができる。充電部カバー４は通常の使用時には見えなくなるため，施工時に筆記したメモは使用時の妨げにはならない。尚，充電部カバーの色は薄いグレー色としたが，鉛筆等で筆記する際に筆記したものが判別できるような色であれば，白色や，青色，黄色，橙色，濃いグレー色等，種々の色で充電部カバーを形成してもよい。
【産業上の利用可能性】
【００２７】
配線作業時等の確認を行うためにメモ書きに利用できるため，実施例で説明した住宅用分電盤や標準盤以外に，制御盤や，キュービクル等における使用が可能である。
【図面の簡単な説明】
【００２８】
【図１】分電盤の内部構造図である。
【図２】充電部カバーを取外した図である。
【図３】分電盤カバーを取付けた図である。
【図４】充電部カバーにシートを貼り付けた図である。
【図５】従来の例を示した図である。
【符号の説明】
【００２９】
１  分電盤
２  主開閉器
３  分岐開閉器
４  充電部カバー
５  接続バー
６  母線
７  送り母線
８  絶縁壁
９  カバー
１０  回路名称記載部
１１  シート
１００  突出部
２００  嵌合用の孔
【図１】
2005027470.tif 000003
【図２】
2005027470.tif 000004
【図３】
2005027470.tif 000005
【図４】
2005027470.tif 000006
【図５】
2005027470.tif 000007